(57)【要約】【課題】  本発明は、ビルの屋上といった土壌の存在しないところでも簡易かつ経済的に植物栽培ができる屋上緑化システムの提供することを課題とする。【解決手段】  上部に複数の開口部１を有し、かつ端部５の一方に養液９を注入する注入口２を有し、かつ端部５の他方には養液９を回収する回収口３を有するパイプ４を、回収口３を有する端部側に養液９が流れるように傾斜をつけて支柱６を以って屋上に敷設し、該開口部１に植物１５を植付けた植物植付具７を装着するとともに、養液槽８の養液９をポンプにより間欠的に注入口２から該パイプ４に注入し、余分の養液９を回収口３から養液槽８に回収することを特徴とする屋上緑化システム。【選択図】    図１
2007037516.tif 000002
【特許請求の範囲】
【請求項１】
上部に複数の開口部１を有し、かつ端部５の一方に養液９を注入する注入口２を有し、かつ端部５の他方には養液９を回収する回収口３を有するパイプ４を、回収口３を有する端部側に養液９が流れるように傾斜をつけて支柱６を以って屋上に敷設し、該開口部１に植物１５を植付けた植物植付具７を装着するとともに、養液槽８の養液９をポンプにより間欠的に注入口２から該パイプ４に注入し、余分の養液９を回収口３から養液槽８に回収することを特徴とする屋上緑化システム。
【請求項２】
植物植付具７が底部に吸水マット１１を有することを特徴とする請求項１に記載の屋上緑化システム。
【請求項３】
パイプ４が複数の支柱６を以って複数敷設されていることを特徴とする請求項１または２に記載の屋上緑化システム。
【請求項４】
複数の注入口２同士並びに複数の回収口３同士が各々連通していることを特徴とする請求項３に記載の屋上緑化システム。
【請求項５】
端部５が開放及び又は密閉可能に構成されていることを特徴とする請求項１から４の何れかに記載の屋上緑化システム。
【請求項６】
支柱６が曲折可能に構成されていることを特徴とする請求項１から５の何れかに記載の屋上緑化システム。
【発明の詳細な説明】
【技術分野】
【０００１】本発明は、屋上において植物を栽培することができる経済的かつ簡易な屋上緑化システムに関する。詳しくは、端部と上部に複数の開口部を有し、かつ端部の一方に養液を注入する注入口を有し、かつ端部の他方には養液を回収する回収口を有するパイプを、回収口を有する端部側に養液が流れるように傾斜をつけて支柱を以って屋上に敷設し、該開口部に植物を植え付けた植物植付部を装着するとともに、養液槽の養液をポンプにより間欠的に注入口から該パイプに注入し、余分の養液を回収口から養液槽に回収することからなる屋上緑化システムに関する。
【背景技術】
【０００２】  植物の栽培装置や方法として複数の小容器やペットボトルを利用した特許が提案されている。例えば、内部に充填された液体を利用した後の容器を上下に切断し、鉢部とこの鉢部に養液を供給する水容器部とを形成し、水容器部の養液により鉢部の植物を栽培することにより第１段の育成を行い、続いて養液タンク内の水を滴下供給する縦型養液栽培装置の植え込み部材に対して前記鉢部を設置することにより或いは鉢部から抜き去って直接に植設することにより第２段の育成を行う廃棄容器を利用した植物栽培方法が提案されている。（特許文献１参照）【０００３】  また、直射日光をうける屋外に設置した養液栽培装置での栽培方法において、直射日光による養液栽培装置内部と養液の温度上昇を抑制するために装置の外周部に断熱性を有する培地を充填した容器を複数配置して植物を栽培する植物栽培方法が提案されている。（特許文献２参照）【０００４】  また、ガラスハウスやビニールハウス等のハウス内空間の上部に、外筒と、その内部に配置した内筒とからなる装置本体を１以上ほぼ水平に配置し、装置本体の内筒内は養液が通過するようにし、かつ内筒と外筒の間の空間は水等の冷却媒体が通過する空間とし、内筒外周部にはこの冷却媒体が浸潤する面を形成し、かつ装置本体の一端には排気装置を配置することにより、低温時にはハウス内高所における暖房の熱を有効利用し、かつ高温時には前期冷却媒体湿潤面からの冷却媒体の蒸発により装置内の冷却を行うように構成したことを特徴とする温度調節可能な養液栽培装置が提案されている。（特許文献３参照）【０００５】  しかしながら、提案されている特許文献１および２においては、筒体からなる縦型の植物栽培装置を複数設置し、縦型の筒体の側位に植え込み部材を配置して養液をポンプにより上部から注入して植物を栽培するものであるが、屋上で植物を栽培するには相当数の当該栽培装置が必要になるだけでなく、当該装置各々に養液を供給するための養液タンクが各々必要であり、当該装置の養液供給管理が煩雑になるという問題があった。【０００６】  また、さらに特許文献３においては、複数のパイプからなる植物栽培装置が水平方向にかつ屋内に敷設されたものであるが、当該植物栽培装置は内筒と外筒からなるパイプから成り立っており、装置そのものが複雑な構造であるため経済的でなくかつ植物の育成管理が煩雑となるという問題があった。【０００７】  一方、都市部においては、ヒートアイランド現象、地球温暖化等の環境問題、夏場におけるクーラーの使用による電力不足により、環境問題及び節電対策として屋上緑化の必要性が強く叫ばれ屋上に土壌を搬入し、樹木や植物の栽培が試みられているがコスト面等多くの課題を含んでいるのが現状である。【０００８】  そのため、屋上における植物栽培において、経済的且つ簡易に行うことができ、さらに植物管理が煩雑にならないような植物栽培に係る屋上緑化システムが望まれていた。【０００９】  本発明者は、上記問題点に鑑み屋上緑化システムについて鋭意研究した結果本発明を完成するに至った。【００１０】
【特許文献１】    特開平１０−３２７６７５号公報
【特許文献２】    特願２００３−３１９５８４号
【特許文献３】    特開平０３−９４６２１号公報
【発明の開示】
【発明が解決しようとする課題】
【００１１】  本発明は、ビルの屋上といった土壌の存在しないところでも簡易かつ経済的に植物栽培ができる屋上緑化システムの提供することを課題とする。
【課題を解決するための手段】
【００１２】  本発明の第１は、上部に複数の開口部１を有し、かつ端部５の一方に養液９を注入する注入口２を有し、かつ端部５の他方には養液９を回収する回収口３を有するパイプ４を、回収口３を有する端部側に養液９が流れるように傾斜をつけて支柱６を以って屋上に敷設し、該開口部１に植物１５を植付けた植物植付具７を装着するとともに、養液槽８の養液９をポンプにより間欠的に注入口２から該パイプ４に注入し、余分の養液９を回収口３から養液槽８に回収することを特徴とする屋上緑化システムに関する。【００１３】  本発明の第２は、植物植付具７が底部に吸水マット１１を有することを特徴とする第１に記載の屋上緑化システムに関する。【００１４】  本発明の第３は、パイプ４が複数の支柱６を以って複数敷設されていることを特徴とする第１または第２に記載の屋上緑化システムに関する。【００１５】本発明の第４は、複数の注入口２同士並びに複数の回収口３同士が各々連通していることを特徴とする第３に記載の屋上緑化システムに関する。【００１６】  本発明の第５は、端部５が開放及び又は密閉可能に構成されていることを特徴とする第１から第４の何れかに記載の屋上緑化システムに関する。【００１７】  本発明の第６は、支柱６が曲折可能に構成されていることを特徴とする第１から５の何れかに記載の屋上緑化システムに関する。
【発明の効果】
【００１８】  本発明の屋上緑化システムは、屋上に多量の培地を搬入することなく簡易かつ経済的に屋上に植物を緑化できるという優れた効果を有している。【００１９】  また、本発明の屋上緑化システムは、植物を屋上面から離して上部に生育するとともにパイプに沿って水平方向に生育しているので風が吹いても倒れたり飛ばされたりすることが極めて少ないという優れた効果がある。【００２０】  また、本発明の屋上緑化システムは、ビルの屋上に簡易かつ経済的な本システムを設置することにより、屋上に木陰が生じ憩いの場が生まれるという優れた効果を有している。【００２１】  また、本発明の屋上緑化システムは、支柱が曲折可能な構成になっているので、台風などの強風の時には支柱を折り曲げ倒してパイプを屋上面に密着させることができ、本屋上緑化システムが飛ばされたり壊れたりすることがないという優れた効果を有している。
【発明を実施するための最良の形態】
【００２２】    以下本発明について具体的に説明する。【００２３】  本発明の屋上緑化システムの構成について図１、図２及び図３を参照して説明する。図１は、本ビルの屋上に本発明の実施の形態例を設置した概念図を示す図である。図２は、本発明の植物植付具を示す概念図である。図３は、本発明の屋上緑化システムである植物植付具を装着した状況を拡大して示した概念図である。【００２４】  本発明の屋上緑化システムは、上部に複数の開口部１を有し、かつ端部５の一方に養液９を注入する注入口２を有し、かつ端部５の他方には養液９を回収する回収口３を有するパイプ４を、回収口３を有する端部側に養液９が流れるように傾斜をつけて支柱６を以って屋上に敷設し、該開口部１に植物１５を植付けた植物植付具７を装着するとともに、養液槽８の養液９をポンプにより間欠的に注入口２から該パイプ４に注入し、余分の養液９を回収口３から養液槽８に回収する構成となっている。【００２５】  本発明の屋上緑化システムについて図１から図３を参照してさらに詳細に説明する。図１に示すように、ビル１３の屋上１４に支柱６を以ってパイプ４を敷設する。この場合、パイプ４は、端部５が開放及び又は密閉可能に構成され上部に複数の開口部１を有しかつ端部５の一方に養液９を注入する注入口２を有し、かつ端部５の他方に回収口３を有するものであるが、当該パイプは、回収口３を有する端部側に養液９が流れるように傾斜をつけて敷設している。そして、開口部１には図２及び図３に示す植物１５を植付けた植物植付具７が装着されている。【００２６】  そして、本発明の屋上緑化システムにおける植物の生育方法は、ポンプ（図示せず）により、養液層８内の養液９がパイプ４の端部に設けられた注入口２に間欠的に注入されることにより植物植付部７の底部に設けられた吸水マット１１に吸収され、さらに、植付けられた植物１５に養液９の養分が吸収され植物１５の根は吸水マットを通過し、パイプ内に伸び生長するのである。【００２７】  そして、余分の養液は、パイプ４が傾斜を有しているので自然に流下して回収口３を経て養液層８に回収される。本発明の屋上緑化システムに係るポンプ（図示せず）は、養液層８内に設置してもよくまた養液層８外に設置してもよい。要するに養液９をパイプ４に間欠的に注入できればよいので、屋上の面積や経済性等を勘案して適宜選択すればよい。【００２８】    上述したように、本発明の屋上緑化システムは、屋上に多量の培地を搬入することなく簡易かつ経済的に屋上に植物を栽培することができる。【００２９】  また、本発明の屋上緑化システムに係るパイプ４は、螺旋状に敷設してもよく、またＳ字状に敷設してもよい。緑化する植物の種類やビル屋上の面積等を勘案して適宜自在に敷設することができる。また、パイプ４内に冷風や温風を通風してパイプ４内の温度を調節することもできる。【００３０】  また、本発明の屋上緑化システムに係る植物は、種々の植物が使用できるが、風の抵抗を受けにくくかつ水平方向に誘引生育することができるゴーヤ、トマト、ウリ等のつる性植物が好ましく使用される。【００３１】  また、本発明の屋上緑化システムに係るパイプ４の敷設は、屋上床面より略２メートルの高さ位置に好ましく敷設される。この理由は、ほとんどの人の高さより高い位置であるため、当該屋上緑化システムの下は、日陰の空間を確保することができ、屋上を都会のオアシスとして利用することができるので好ましい。【００３２】  また、本発明の屋上緑化システムは、植物植付具７が底部に吸水マット１１を有する構成とすることが好ましい。このような構成とすることにより、植物の苗を吸水マット１１上に配置するだけで植付けが完了しパイプ４の注入口２から間欠的に注入される養液９を吸水マット１１に吸収し、植物１５に養分を十分に供給することができるので好ましい。【００３３】  また、本発明の屋上緑化システムは、パイプ４が複数の支柱６を以って複数敷設されている構成とすることが好ましい。このような構成とすることにより、パイプ４への養液９の注入がスムーズにできるだけでなく、パイプ４の敷設が自在に設計できるので好ましい。【００３４】  また、本発明の屋上緑化システムは、複数の注入口２同士並びに複数の回収口３同士が各々連通していることが好ましい。パイプ４を複数敷設した場合にはこのような構成とすることにより、養液槽８やポンプが節減でき経済的に屋上緑化システムを設置できるので好ましい。【００３５】  また、本発明の屋上緑化システムは、端部５が開放及び又は密閉可能に構成されていることが好ましい。この場合、端部５は、ネジ式の蓋やキャップにして取り外し可能な構成にすることができる。このような構成とすることにより、キャップ等を外してパイプ４内を容易に清掃することができると共に両端部のキャップを外してパイプ４内の空気を流動させることにより、高温時にはパイプ４内の温度を下げることができる。またさらに、キャップは一部開口部を有した構成にすることもできる。このような構成とすることにより、キャップを外すことなく開口部より適宜通風してパイプ４内の温度を調節することができる。【００３６】  また、本発明の屋上緑化システムは、支柱６が曲折可能に構成されていることが好ましい。例えば支柱６の上端部及び下端部において曲折可能な継手（図示せず）で接続し、固定ピンを外すことにより曲折できる構成にすることがきる。要するに曲折可能な構成とは、支柱６を折り曲げ倒してパイプ４が屋上面に密着できる構成であれば限定されるものではない。このような構成とすることにより、台風などの強風の時には、支柱を折り曲げ倒してパイプ４を屋上面に密着させて本屋上緑化システムが強風に飛ばされたり、壊れたりすることを防止することができる。【００３７】  上述したように、本発明の屋上緑化システムは、屋上に多量の培地を搬入することなく簡易かつ経済的に屋上に植物を緑化できるという優れた効果を有している。【００３８】  また、本発明の屋上緑化システムは、植物を屋上面から離して上部に生育するとともにパイプに沿って水平方向に生育しているので風が吹いても倒れたり飛ばされたりすることが極めて少ないという優れた効果がある。【００３９】  また、本発明の屋上緑化システムは、ビルの屋上に簡易かつ経済的な本システムを設置することにより、屋上に木陰が生じ憩いの場が生まれるという優れた効果を有している。【００４０】  また、本発明の屋上緑化システムは、支柱が曲折可能な構成になっているので、台風などの強風の時には支柱を折り曲げ倒してパイプを屋上面に密着させることができ、本屋上緑化システムが飛ばされたり壊れたりすることがないという優れた効果を有している。
【図面の簡単な説明】
【００４１】
【図１】本発明の実施の形態例を設置した概念図を示す図である。
【図２】本発明の植物植付具を示す概念図である。
【図３】本発明の植物植付具を装着した状況を示した概念図である。
【符号の説明】
【００４２】    １      開口部
２      注入口
３      回収口
４      パイプ
５      端部
６      支柱
７      植物植付具
８      養液槽
９      養液
１１    吸水マット
１２    根部
１３    ビル
１４    屋上
１５    植物
【図１】
2007037516.tif 000003
【図２】
2007037516.tif 000004
【図３】
2007037516.tif 000005